(57)【特許請求の範囲】
【請求項１】
手で把持するための把持部である細長い軸部と、軸部を浴室の壁面から隙間を空けて取り付けるための取付部と、を有する浴室用手すりであり、上記軸部にＬＥＤからなる文字表示部を配設し、上記文字表示部が文字情報を浴室内に向けて表示し、
浴室外の外部装置に上記文字表示部を接続する接続ケーブルと、上記壁面の裏側に配置され上記取付部を補強する取付金具とを有し、
上記取付金具を上記壁面の裏側に配置する際に施工した貫通口を介して、上記接続ケーブルを浴室外に導出するものであることを特徴とする浴室用設備。
【請求項２】
シャワーヘッドと、シャワーヘッドをスライド自在で支持するためのスライド軸である細長い軸部と、軸部を浴室の壁面から隙間を空けて取り付けるための取付部と、を有するシャワー装置であり、上記軸部にＬＥＤからなる文字表示部を配設し、上記文字表示部が文字情報を浴室内に向けて表示し、
浴室外の外部装置に上記文字表示部を接続する接続ケーブルと、上記壁面の裏側に配置され上記取付部を補強する取付金具とを有し、
上記取付金具を上記壁面の裏側に配置する際に施工した貫通口を介して、上記接続ケーブルを浴室外に導出するものであることを特徴とする浴室用設備。
【請求項３】
前記外部装置として、前記文字表示部で表示するための情報を外部から取得する情報取得部を浴室外に備えるものであることを特徴とする請求項１または請求項２に記載の浴室用設備。
【発明の詳細な説明】
【技術分野】
【０００１】
本発明は、浴室用手すりやシャワー装置等の浴室用設備に関し、ことに、浴室の壁面に取り付けられ壁面から離れた位置に細長い軸部を有する浴室用設備に文字表示部を設ける技術に関するものである。
【背景技術】
【０００２】
従来から、浴室内に持ち込み可能な防水ラジオや防水テレビ、あるいは浴室の壁面に埋込設置したバステレビ等の情報出力装置で、ニュース放送や娯楽放送等の外部情報を浴室内に出力するものがある。しかしながら、持込式のものは浴槽のフランジへの載置やシャワーフックへの吊下げ等の浴室内に新たに設置するため、浴室内のスペースを狭めてしまい、浴室の快適な利用を妨げている。そして、使用時の浴室への持ち込みや内蔵電源の充電や交換等の手間がかかるため、快適に利用することができないものである。更に、近年増加傾向にあるバリアフリー対応の浴室では浴室利用者の浴槽の出入り等を補助する浴室用手すりを有するため、持込式のものを設置する場所を確保し難く、手すり使用時に接触して破損による漏電や転倒等の事故を生じることもある。
【０００３】
また、埋込式のものはバステレビの画面やスピーカ等を壁面に埋め込んだものであり、使用時に持ち込む手間がかからないものである。そして、特許文献１の鏡装置のように予め浴室に設置されている浴室用設備にバステレビ等の表示手段を内蔵して浴室の外観を変えずに配置するものがある。詳しくは、バステレビ等の表示手段と、照明手段と、をハーフミラーの後方に備え、ハーフミラーを鏡として使用しない際に、照明手段の光で表示手段を照らすことで表示手段の表示をハーフミラーに透過させて、浴室内に情報を呈示している。
【０００４】
しかしながら、バステレビ等の埋込式のものは施工時に埋め込み用の大きな開口を壁面に形成する等の作業が必要であると共に、浴室内の湯水が埋込位置から壁面の裏側等の漏水防止等の防水処理を行う必要があり、高価なものである。そして、特許文献１のような鏡装置はハーフミラーによるミラー機能と表示手段による情報表示機能を照明手段により切り替えるため、浴室利用者による切換操作が必要であり、手間がかかるという問題もある。更に、バリアフリー対応の浴室ではバステレビ等と浴室用手すりが互いに浴室の壁面に設置するものであるため、表示手段の一部が浴室用手すりの影になり視認し難くなることや、浴室用手すりの設置位置が制限されること等があり、快適に利用することが困難である。
【先行技術文献】
【特許文献】
【０００５】
【特許文献１】特開２００３−６１７９７号公報
【発明の概要】
【発明が解決しようとする課題】
【０００６】
そこで、本発明は上記事情に鑑みて発明したものであり、バリアフリー対応の浴室に安価に設置できると共に、容易に且つ確実に視認可能な文字表示部を設けた浴室用設備を提供することを課題とした。
【課題を解決するための手段】
【０００７】
上記課題を解決するために、本発明の浴室用設備は、手で把持するための把持部７である細長い軸部１と、軸部１を浴室の壁面４から隙間を空けて取り付けるための取付部３と、を有する浴室用手すり６である。そして、上記軸部１にＬＥＤからなる文字表示部２を配設し、上記文字表示部２が文字情報を浴室内に向けて表示し、浴室外の外部装置に上記文字表示部２を接続する接続ケーブル１０と、上記壁面４の裏側に配置され上記取付部３を補強する取付金具とを有し、上記取付金具を上記壁面４の裏側に配置する際に施工した貫通口５を介して、上記接続ケーブル１０を浴室外に導出するものであることを特徴とする。
【０００８】
このような構成としたことで、浴室利用者の視界に文字表示部２の表示が容易に且つ確実に入り、文字情報を容易に且つ確実に視認させることができる。詳しくは、上記浴室用手すり６が浴槽入浴後や身体洗浄後の立ち上がり等の動作時に手で把持するものであるために入浴中や洗浄中の浴室利用者の視界に入り易い位置に設けてある。そのため、入浴中や洗浄中の浴室利用者の視界に文字表示部２を容易に且つ確実に入るものである。そして、文字表示部２を浴室用手すり６に設けると共にＬＥＤで構成したことで、文字表示部２を安価にすることができる。
【０００９】
また、本発明の浴室用設備は、シャワーヘッド１４と、シャワーヘッド１４をスライド自在で支持するためのスライド軸１６である細長い軸部１と、軸部１を浴室の壁面４から隙間を空けて取り付けるための取付部３と、を有するシャワー装置１３である。そして、上記軸部１にＬＥＤからなる文字表示部２を配設し、上記文字表示部２が文字情報を浴室内に向けて表示し、浴室外の外部装置に上記文字表示部２を接続する接続ケーブル１０と、上記壁面４の裏側に配置され上記取付部３を補強する取付金具とを有し、上記取付金具を上記壁面４の裏側に配置する際に施工した貫通口５を介して、上記接続ケーブル１０を浴室外に導出するものであることを特徴とする。
【００１０】
このような構成としたことで、浴室利用者の視界に文字表示部２の表示が容易に且つ確実に入り、文字情報を容易に且つ確実に視認させることができる。詳しくは、浴室利用者がシャワーヘッド１４をスライド軸１６に支持してシャワー装置１３使用する際にシャワーヘッド１４及び軸部１側を向くため、シャワー使用中の浴室利用者の視界に文字表示部２が容易に且つ確実に入るものである。そして、文字表示部２をシャワー装置１３に設けると共にＬＥＤで構成したことで、文字表示部２を安価にすることができる。
【００１１】
また、前記外部装置として、文字表示部２で表示するための情報を外部から取得する情報取得部１１を浴室外に備えることで、文字表示部２で表示する文字情報の種類を増やすことができ好ましい。
【発明の効果】
【００１２】
上記のように、本発明の浴室用設備の一つである浴室用手すりは入浴中や洗浄中の浴室利用者に文字表示部を容易に且つ確実に視認させるため、浴室利用者が文字情報を楽しみながら入浴や身体洗浄を行えて、浴室を快適に利用させることができる。そして、文字表示部をＬＥＤで構成したことで、液晶等を用いたものより費用を安価にすることができる。
【００１３】
また、本発明の浴室用設備の一つであるシャワー装置はシャワー中の浴室利用者に文字表示部を容易に且つ確実に視認させるため、浴室利用者が文字情報を楽しみながらシャワーを使用できて、浴室を快適に利用させることができる。そして、文字表示部をＬＥＤで構成したことで、液晶等を用いたものより費用を安価にすることができる。
【００１４】
更に、情報取得部を浴室外に備えることで、外部から容易に且つ安定して文字表示部用の情報を取得することができると共に、文字表示部で表示する文字情報の種類を増やすことができて、浴室利用をより快適にできる。
【図面の簡単な説明】
【００１５】
【図１】本発明の実施例における浴室用手すりの（ａ）正面図、（ｂ）平面図、（ｃ）一部を透視した側面図である。
【図２】同上の浴室用手すりを設けた浴室の一部を省略した斜視図である。
【図３】文字表示部と外部装置を模式的に示した図である。
【図４】浴室用手すりの変形例であり、（ａ）Ｌ字型の正面図、（ｂ）Ｅ字型の側方断面図、（ｃ）くの字型の側方断面図である。
【図５】シャワー装置の一部を切断した斜視図である。
【発明を実施するための形態】
【００１６】
以下、図面に基づいて本発明の実施形態について説明する。
【００１７】
本例における浴室は、図１及び図２に示すように、浴室の壁面４に手すりの設けられたバリアフリー対応の浴室である。そして、上記手すりは浴槽を跨ぐ際や浴槽から立ち上がる際等の浴槽の出入時や洗い場で屈んだ状態から腰を上げる際等の身体洗浄後の動作時等に浴室利用者が把持する動作補助用の浴室用手すり６である。
【００１８】
そのため、入浴中や身体洗浄中等の浴室利用者の視界に入り易い位置で浴室の壁面４や浴槽のフランジ部に突出して設けられている。つまり、浴室用手すり６は、洗い場と浴槽の境界や浴槽の周辺やカランと鏡の上下の間等の浴槽や洗い場で腰を下ろした状態の浴室利用者の視界に容易に入り且つ上半身や腰あるいは足を上げる際に手で把持できる位置に設けたものである。
【００１９】
また、上記浴室用手すり６は中空の円筒部材からなり、浴室の壁面４の左右方向や上下方向に沿って直線状あるいは略直線状の把持部７を有するＩ字型のものや、上記Ｉ字型を複数連結したＥ字型やＬ字型等がある。なお、浴室用手すり６は直径２５から３５ｍｍ程度の円筒部材を軸部１に用いることで、浴室利用者が容易に把持部７の全周を握ることができ好ましいが、矩形状の筒部材で形成してもよい。
【００２０】
以下、上記浴室用手すり６のうち、浴槽の周囲に突設したＩ字型の浴室用手すり６を例に取り、詳細な説明を行う。
【００２１】
上記Ｉ字型の浴室用手すり６は浴槽入浴中の浴室利用者の顔等の頭部と略同じ高さで浴槽の周囲を囲む浴室の壁面４に複数突設されており、入浴後に浴槽から腰を上がる際に視認及び把持を容易に行える配置となっている。
【００２２】
詳しくは、図１及び２に示すように、円筒の中心軸に沿って直線状あるいは略直線状に細長い軸部１を有し、上記軸部１が手で把持可能な把持部７であり、軸部１の両端から浴室の壁面４に向けて取付部３が延設されている。上記取付部３は軸部１と壁面４の間に手を差し込み軸部１の外周全面を把持可能とするために壁面４から軸部１を離した状態で壁面４に支持するものであり、ねじやボルト等の固定具を介して壁面４に固定されている。
【００２３】
更に、浴室利用者が把持部７を把持した際に浴室利用者の体重等の負荷で取付部３が壁面４から外れないように上記壁面４の裏側に配置した取付金具（特に図示しない）により補強されている。なお、壁面４の符号５は上記取付金具を壁面４の裏側に配置する際に取付金具を壁面４に挿通するために施工した貫通口である。
【００２４】
また、上記軸部１には文字情報を表示する文字表示部２が配設されており、上記文字表示部２は軸部１の直径より小さいあるいは略同寸の短辺を有する長方形の表示面を有するものである。そして、文字表示部２は表示面を壁面４に平行で且つ浴室内に向けると共に面の長辺を軸方向に略平行にして配置されている。
【００２５】
詳しくは、複数のＬＥＤを略長方形状に敷き詰め表示面としたＬＥＤモジュール８であり、上記ＬＥＤモジュール８は、上記ＬＥＤに加え、上記ＬＥＤの発光制御を行う制御部を備えている。そして、上記発光制御により、一度に点灯させるＬＥＤの位置を組み合わせて文字を描くものであり、長辺に沿って一度に複数の文字を描くことで文章等の文字列も描くことができるものである。
【００２６】
上記文字とは、例えば、数字や、漢字や、ひらがなや、カタカナや、アルファベットや、記号等である。なお、上記ＬＥＤモジュール８を一文字毎に夫々ＬＥＤユニットとして分割可能とすることで、軸部１に配置するＬＥＤユニットの数を変えるだけで文字表示部２の寸法及び表示する文字数を施工現場で容易に変更できて好ましい。
【００２７】
また、上記文字表示部２は、軸部１に内周側へ凹んだ凹所を形成し該凹所に埋め込み配設するものと、軸部１の内側の空間に配置して凹所を形成せずに軸部１に内蔵するものと、がある。
【００２８】
凹所に埋め込むものでは、例えば、図１に示すように、光透過性を有する長方形状の防水パネル９で文字表示部２を覆っており、防水パネル９はシール部材を介在して凹所に取り付けられている。そのため、上記防水パネル９は文字表示部２の表示を浴室内に透過させると共に、文字表示部２を浸水や外部接触から保護するものである。更に、上記防水パネル９は外面を把持部７の一部として把持することができると共に、軸部１から防水パネル９を外すだけで、文字表示部２のメンテナンスを容易に行えるものである。
【００２９】
また、軸部１に内蔵するものは、軸部１の一部あるいは全部を光透過性を有する円筒部材で形成し、光透過性を有する部位の内側に文字表示部２を配置することで、文字表示部２を保護すると共に、表示を浴室内に透過させるものである。そして、文字表示部２の配設時の組立工数及び部品数を削減でき、施工を安価で且つ容易に行うことができる。
【００３０】
このように、文字表示部２を浴室用手すり６に配設したことで、浴室に防水ラジオ等を持ち込む手間が省けて、容易に浴室内に外部情報を表示できると共に、浴室用手すり６使用時に文字表示部２が邪魔にならないものとなっている。そして、入浴中の浴室利用者が視認し易い位置に設置されている浴室用手すり６に配設したことで、浴室利用者が身体の姿勢を変えずに把持部７に顔を向けるだけで、容易に且つ確実に文字情報を視認することができる。更に、文字表示部２を配設する部材が浴室用手すり６であるため、文字表示部２の取付時に壁面４への施工が不要となり、安価に取り付けることができる。
【００３１】
つまり、浴槽周辺の浴室用手すり６に文字表示部２を配設したことで、文字表示部２の表示する文字情報を楽しみながら浴槽に入浴でき、浴室を快適に利用することができる。更に、文字表示部２にＬＥＤモジュール８を用いたことで、ＬＥＤで直接文字を描いて文字情報を表示でき、液晶等を用いたものに比べて安価に生産することができる。
【００３２】
また、文字表示部２は、図３に示すように、接続ケーブル１０を介して、浴室外で外部情報を取得する情報取得部１１と、商用電源等の外部電源１２と、に夫々接続されている。
【００３３】
詳しくは、接続ケーブル１０が文字情報用の情報を出力する信号線や電力供給線等の複数の導線を束ねたものであり、浴室用手すり６の内側の空間に配置されている。そして、上記接続ケーブル１０の各導線の一端は夫々文字表示部２のＬＥＤモジュール８に接続されており、他端側は壁面４の貫通口５を介して浴室外に導出されている。浴室外に導出された接続ケーブル１０は信号線の他端が情報取得部１１に接続され、電力供給線の他端が外部電源１２に接続されている。
【００３４】
上記情報取得部１１は浴室外に配置されており、外部ネットワークから外部情報を有線や無線で受信する受信端末と、外部記憶媒体が着脱自在で取付可能で該外部記憶媒体内の記憶情報を読み取る読取端末と、を備えたものである。
【００３５】
上記外部ネットワークは、ＲＳＳ（RED Site Summary、Rich Site Summary、Really Simple Syndication）機能等を利用したインターネットや、文字放送用の放送電波や、浴室外に設置された家庭用電気機器等である。上記家庭用電気機器とはインターホンや電話や浴室以外の部屋に設置された空調設備等であり、各機器の動作状況を外部情報として取得して、来客や着信あるいは室温等の文字情報で文字表示部２に表示されるものである。
【００３６】
また、外部記憶媒体とはメモリーディスクやメモリーカード等の記憶媒体であり、外部記憶媒体内の記憶情報とは、例えば、小説や和歌等の電子文書や、九九計算や漢字の読み等の学習用情報等である。そして、学習用情報を表示するものでは、問題を表示した後、所定の時間経過後答えを表示することで、学習をより楽しみながら効果的に行うことができる。
【００３７】
つまり、上記情報取得部１１が取得する外部情報は、そのまま文字表示部２で表示可能な情報に限らず、情報取得部１１やＬＥＤモジュール８の制御部等で文字情報に変換可能な情報であればよい。そして、情報取得部１１は受信端末と読取端末の両方を備えたものに限らず、一方の端末のみ備えたものはもちろん、受信端末を複数備えたものであってもよい。
【００３８】
なお、文字表示部２はＬＥＤモジュール８等に記憶媒体を内蔵されており、情報取得部１１から情報が出力されなくても文字表示部２が文字情報を表示できるものである。もちろん、文字表示部２はＬＥＤの発光制御を行う制御部を接続ケーブル１０により浴室外に配置したものであってもよい。
【００３９】
このように、文字表示部２に接続ケーブル１０を接続したことで、文字表示部２の電源に外部電源１２を使用することができると共に、浴室外に設置された情報取得部１１等の外部装置に文字表示部２を接続することができる。そして、文字表示部２を浴室外に設けた情報取得部１１に接続したことで、文字表示部２で表示する文字情報のための情報を外部から容易に且つ安定して取得することができると共に、文字表示部２で表示する文字情報の種類を増やすことができる。
【００４０】
更に、文字表示部２の電源に外部電源１２を用いたことで、浴室用手すり６に文字表示部２用の二次電池等の内蔵電源を設置する必要がなくなり、電池交換や充電等のメンテナンスの手間がかからず浴室利用者への負担を軽減できる。
【００４１】
また、接続ケーブル１０が浴室用手すり６の内側の空間に配置され補強用の貫通口５から浴室外に導出されるため、接続ケーブル１０導出用の孔開口作業及び接続ケーブル１０の防水や接触防止等の処理が行わずにすみ、安価に施工できる。
【００４２】
なお、上記浴室外とは浴室の天井裏や床下等の浴室の外側あるいは脱衣室や廊下等の浴室以外の場所である。そして、情報取得部１１は受信端末と読取端末の両方を備えたものや、複数の受信端末を備えたもの等では、端末毎に夫々異なる場所に設置してもよい。例えば、着脱等の直に外部操作する必要のない受信端末を浴室の天井裏や床下等のデットスペースに収納し、読取端末を脱衣室等の浴室以外の部屋や廊下等の浴室利用者の容易に着脱等の外部操作可能な場所に露出して配置する等である。
【００４３】
また、文字表示部２が表示する文字を所定の速度でスクロール可能にすることで、文字表示部２で一度に表示可能な文字数より長い文字列を表示でき、より複雑な文字情報を表示することができ好ましい。そして、上記スクロールにより浴室利用者が文字情報の文字列を目で追わなくても読むことができ、浴室利用者の負担がより軽減され、浴室をより快適に利用することができる。
【００４４】
もちろん、文字表示部２の切換や設定変更等を外部操作する操作端末を浴室内に設置すると共に、操作端末と文字表示部２を浴室外を経由させた接続ケーブル１０で接続し、文字表示部２を浴室利用者の嗜好等に浴室内で対応できるものにしてもよい。
【００４５】
また、文字表示部２は表示面が壁面４に平行なものに限らず、例えば、カランとカランの上方の鏡の間に設けた洗い場での立ち上がり用の浴室用手すり６のように、文字表示部２が上方に向いて傾いた壁面４に平行でないものであってもよい。
【００４６】
詳しくは、上記洗い場の浴室用手すり６に設けた文字表示部２は表示を洗い場内の浴室利用者に視認させるものであり、上記浴室利用者の顔は鏡の略正面に位置しており、浴室用手すり６より上方に顔がある。そのため、文字表示部２を上方に傾けて配設することで、鏡及びカランの正面に腰を下ろした浴室利用者が鏡より下方に顔を向けるだけで容易に文字情報を視認でき、文字情報を楽しみながら身体洗浄を行えるものである。
【００４７】
つまり、本発明の文字表示部２は入浴や身体洗浄等の浴槽や洗い場に留まって動作中の浴室利用者に対して該動作を妨げずに顔を向けるだけで文字表示部２の文字表示を容易に視認させるものである。そのため、文字表示部２は浴室用手すり６の設置高さ及び視認させたい浴室利用者が留まる位置での顔の高さに応じて、軸部１に長辺が沿った状態を維持して表示面を上方や下方あるいは左右に傾けて配置するものである。
【００４８】
なお、文字表示部２を配設する浴室用手すり６はＩ字型に限らず、Ｅ字型やＬ字形やくの字型の浴室用手すり６であってもよく、軸部１に文字表示部２を複数設けてもよい。例えば、図４（ｂ）に示す略同一直線上に二つの軸部１を連結したＥ字型の浴室用手すり６のように、一つの文字表示部２を二つの軸部１に跨って配設してもよい。そして、図４（ａ）に示す二つの軸部１を直交させて連結したＬ字型のもののように、各軸部１に夫々文字表示部２を設けると共に、一方を浴槽側を向け、他方を洗い場側を向けたものであってもよい。また、図４（ｃ）に示す一方の軸部１にのみ文字表示部２を設けたくの字型のもののように、一方の取付部３を浴室の壁面４に固定し、他方を浴槽のフランジ部や洗い場の底部に固定してもよい。
【００４９】
また、文字表示部２はカラン及び鏡の側方に設置されたシャワー装置１３の軸部１にも配設することができる。なお、前述の浴室用手すり６に文字表示部２を配設したものと同様の構成の説明は省略する。
【００５０】
上記シャワー装置１３は、例えば、図２及び図５に示すように、吐出部であるシャワーヘッド１４と、シャワーヘッド１４を着脱自在あるいは一体で保持するシャワーフック等の保持部１５と、保持部１５を上下にスライド自在で支持するスライド軸１６と、を有している。上記スライド軸１６は浴室の上下方向に細長い円筒部材からなる軸部１であり、軸部１の両端が夫々取付部３により浴室の壁面４から所定間隔離して壁面４に固定されている。そして、上記スライド軸１６は浴室利用者が手すりとして把持することがあるため、浴室用手すり６と略同様に取付金具を用いて補強されている。
【００５１】
つまり、シャワー装置１３は保持部１５をスライド軸１６に沿って上下にスライドさせることで、シャワーヘッド１４の高さを変更するものであり、浴室利用者がシャワーヘッド１４を把持しなくてもシャワーを浴びることができるものである。そして、スライド軸１６は浴室用手すり６としての機能を兼ねたものとなっている。
【００５２】
また、上記スライド軸１６には文字表示部２が配設されており、上記文字表示部２は軸方向に沿って長辺を有する略長方形状の表示面を有し、表示面を鏡の正面前方側に向けて傾けて配置されている。つまり、洗い場に腰を下ろしてシャワー装置１３側を向いた浴室利用者の正面に配置されており、スライド軸１６に保持部１５を介してシャワーヘッド１４を保持させた状態でシャワー中の浴室利用者の視界に表示面が入るものである。そのため、浴室利用者はスライド軸１６の文字表示部２の表示を楽しみながらシャワー装置１３を使用できて、浴室をより快適に利用することができる。
【符号の説明】
【００５３】
１  軸部
２  文字表示部
３  取付部
４  壁面
５  貫通口
６  浴室用手すり
７  把持部
８  ＬＥＤモジュール
９  防水パネル
１０  接続ケーブル
１１  情報取得部
１２  外部電源
１３  シャワー装置
１４  シャワーヘッド
１５  保持部
１６  スライド軸
【図１】
0005588185.tif 000002
【図２】
0005588185.tif 000003
【図３】
0005588185.tif 000004
【図４】
0005588185.tif 000005
【図５】
0005588185.tif 000006